(57)【要約】【課題】  本発明は、複数の食器を一括で洗浄する場合における、各食器に対する洗浄効果を一段と向上させることができる食器洗浄装置を提供することを目的とする。【解決手段】  底部２０Ｂ及び複数の側壁部２０ＳＡ〜２０ＳＤからなる洗浄槽２０と、支持板３０Ｂ及び脚部３０Ｆからなる支持部３０と、気泡供給管５０を介して気泡供給部６０に連結された複数の散気管４０と、各散気管４０の上部表面に穿設された複数の散気孔４０Ｈと、複数の整流板７０Ａ〜７０Ｄと、支持部３０の支持板３０Ｂに設けられた開口部３０Ｓとを備える。【選択図】  図１
2018068420.tif 000002
【特許請求の範囲】
【請求項１】
板状の底部の外周縁に複数の側壁部をそれぞれ立設することにより形成され、食器を洗浄するための洗浄液を貯留する洗浄槽と、
前記洗浄槽の前記底部上に配置され、前記洗浄槽の前記底部より小さい大きさを有する板状の支持板の角部付近であって、かつ前記支持板の下面側に、脚部をそれぞれ接続することにより形成された支持部と、
前記支持部の前記支持板上にそれぞれ互いに平行になるように配置され、一端は閉口するように形成され、他端は気泡供給管を介して気泡供給部に連結された円筒状の複数の散気管と、
前記各散気管の上部表面に、前記散気管の長手方向に沿って所定の間隔毎にそれぞれ穿設された複数の散気孔と、
前記支持部の前記支持板の外周縁にそれぞれ立設され、前記洗浄槽の前記側壁部の高さより低くなるように形成された複数の整流板と、
前記支持部の前記支持板のうち、前記各散気管の間に位置する領域を開口するようにして設けられた開口部と
を備えることを特徴とする食器洗浄装置。
【発明の詳細な説明】
【技術分野】
【０００１】
本発明は、食器洗浄装置に関する。
【背景技術】
【０００２】
従来、複数の食器を一括で洗浄するための装置として、種々の食器洗浄装置が開発及び提案されている（例えば、特許文献１参照）。
【先行技術文献】
【特許文献】
【０００３】
【特許文献１】登録実用新案第３０６０４３１号公報
【発明の概要】
【発明が解決しようとする課題】
【０００４】
本発明は、複数の食器を一括で洗浄する場合における、各食器に対する洗浄効果を一段と向上させることができる食器洗浄装置を提供することを目的とする。
【課題を解決するための手段】
【０００５】
本発明の一態様による食器洗浄装置は、
板状の底部の外周縁に複数の側壁部をそれぞれ立設することにより形成され、食器を洗浄するための洗浄液を貯留する洗浄槽と、
前記洗浄槽の前記底部上に配置され、前記洗浄槽の前記底部より小さい大きさを有する板状の支持板の角部付近であって、かつ前記支持板の下面側に、脚部をそれぞれ接続することにより形成された支持部と、
前記支持部の前記支持板上にそれぞれ互いに平行になるように配置され、一端は閉口するように形成され、他端は気泡供給管を介して気泡供給部に連結された円筒状の複数の散気管と、
前記各散気管の上部表面に、前記散気管の長手方向に沿って所定の間隔毎にそれぞれ穿設された複数の散気孔と、
前記支持部の前記支持板の外周縁にそれぞれ立設され、前記洗浄槽の前記側壁部の高さより低くなるように形成された複数の整流板と、
前記支持部の前記支持板のうち、前記各散気管の間に位置する領域を開口するようにして設けられた開口部と
を備える。
【発明の効果】
【０００６】
本発明の食器洗浄装置によれば、複数の食器を一括で洗浄する場合における、各食器に対する洗浄効果を一段と向上させることができる。
【図面の簡単な説明】
【０００７】
【図１】本発明の実施の形態による食器洗浄装置の構成を示す分解斜視図である。
【図２】本発明の実施の形態による食器洗浄装置の断面構造を示す縦断面図である。
【発明を実施するための形態】
【０００８】
以下、本発明の実施の形態について図面を参照して説明する。
【０００９】
図１及び図２は、本発明の実施の形態による食器洗浄装置１０の構成を示す。このうち、図１は、食器洗浄装置１０の分解斜視図を示し、図２は、図１中のＡ−Ａ’線に沿って切断した場合の縦断面図を示す。
【００１０】
食器洗浄装置１０は、食器を洗浄するための洗浄液を貯留する洗浄槽２０を有する。この洗浄槽２０は、板状の底部２０Ｂの外周縁に、側壁部２０ＳＡ〜２０ＳＤをそれぞれ立設することにより形成されている。
【００１１】
洗浄槽２０の底部２０Ｂ上には、複数の散気管４０を支持するための支持部３０が配置されている。具体的には、支持部３０は、板状の支持板３０Ｂの４つの角部付近であって、かつ支持板３０Ｂの下面側に、４つの脚部３０Ｆをそれぞれ接続することにより形成され、洗浄槽２０の底部２０Ｂ上に配置されている。
【００１２】
この支持部３０の支持板３０Ｂ上には、複数の散気管４０がそれぞれ互いに平行になるように配置され、支持板３０Ｂのうち、各散気管４０の間に位置する領域を除去することにより、支持板３０Ｂのうち、各散気管４０の間に位置する領域には、開口部３０Ｓがそれぞれ設けられている。
【００１３】
散気管４０は、その内部に空洞を有するように円筒状に形成され、複数の散気管４０が、それぞれ互いに平行になるように、支持部３０の支持板３０Ｂ上に配置されている。また、各散気管４０の上部表面には、気泡を噴出するための複数の散気孔４０Ｈが、当該散気管４０の長手方向に沿って所定の間隔毎にそれぞれ穿設されている。
【００１４】
各散気管４０の一端は、閉口するように形成される一方、各散気管４０の他端は、気泡供給管５０に連結されている。気泡供給管５０は、洗浄槽２０の外部に設けられた気泡供給部６０に連結され、これにより、当該気泡供給部６０から気泡供給管５０を介して各散気管４０に供給された気泡は、各散気孔４０Ｈから上方に向けて噴出される。
【００１５】
ところで、支持部３０の支持板３０Ｂの外周縁には、洗浄液の流れを整えるための整流板７０Ａ〜７０Ｄがそれぞれ立設されている。
【００１６】
これにより、本実施の形態の場合には、洗浄槽２０の底部２０Ｂと、支持板３０Ｂ及び整流板７０Ａ〜７０Ｄとの間には、脚部３０Ｆの高さに対応する隙間８０が形成されている。
【００１７】
ここで、洗浄槽２０内に洗浄液を貯留した状態において、気泡供給部６０から気泡供給管５０を介して各散気管４０に気泡を供給すると、当該気泡が各散気孔４０Ｈから上方に向けて噴出される。
【００１８】
このようにして、気泡が各散気孔４０Ｈから上方に向けて順次噴出されることにより、図２中の矢印Ｗに示す流れ、すなわち整流板７０Ａ〜７０Ｄの内側領域、整流板７０Ａ〜７０Ｄの上方領域、整流板７０Ａ〜７０Ｄの外側領域、隙間８０及び開口部３０Ｓの順に洗浄液が循環する。
【００１９】
本実施の形態のように、整流板７０Ａ〜７０Ｄを設け、整流板７０Ａ〜７０Ｄの内側領域と外側領域との間で洗浄液を循環させることにより、整流板７０Ａ〜７０Ｄの内側領域の全体に、気泡を一様に分散させることができる。
【００２０】
これにより、例えば食器かごやざるなどの網目状の容器に複数の食器を収容し、当該複数の食器を収容した容器を、整流板７０Ａ〜７０Ｄの内側領域であって、かつ各散気管４０上に載置した上で洗浄すると、各食器に一様に気泡を接触させることができ、従って洗浄効果を向上させることができる。
【００２１】
因みに、整流板７０Ａ〜７０Ｄを設けることなく洗浄処理を行う場合には、気泡が洗浄槽２０の中央付近に偏って存在してしまうことから、複数の食器の全てをむらなく洗浄することができず、所望の洗浄効果を得ることができないという不都合が生じる。
【００２２】
すなわち、本実施の形態の食器洗浄装置１０は、板状の底部２０Ｂの外周縁に複数の側壁部２０ＳＡ〜２０ＳＤをそれぞれ立設することにより形成され、食器を洗浄するための洗浄液を貯留する洗浄槽２０と、洗浄槽２０の底部２０Ｂ上に配置され、洗浄槽２０の底部２０Ｂより小さい大きさを有する板状の支持板３０Ｂの角部付近であって、かつ支持板３０Ｂの下面側に、脚部３０Ｆをそれぞれ接続することにより形成された支持部３０と、支持部３０の支持板３０Ｂ上にそれぞれ互いに平行になるように配置され、一端は閉口するように形成され、他端は気泡供給管５０を介して気泡供給部６０に連結された円筒状の複数の散気管４０と、各散気管４０の上部表面に、散気管４０の長手方向に沿って所定の間隔毎にそれぞれ穿設された複数の散気孔４０Ｈと、支持部３０の支持板３０Ｂの外周縁にそれぞれ立設され、洗浄槽２０の側壁部２０ＳＡ〜２０ＳＤの高さより低くなるように形成された複数の整流板７０Ａ〜７０Ｄと、支持部３０の支持板３０Ｂのうち、各散気管４０の間に位置する領域を開口するようにして設けられた開口部３０Ｓとを備える。
【００２３】
このように本実施の形態による食器洗浄装置によれば、複数の食器を一括で洗浄する場合における、各食器に対する洗浄効果を一段と向上させることができる。
【符号の説明】
【００２４】
１０  食器洗浄装置
２０  洗浄槽
３０  支持部
４０  散気管
５０  気泡供給管
６０  気泡供給部
７０  整流板
【図１】
2018068420.tif 000003
【図２】
2018068420.tif 000004
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
板状の底部の外周縁に複数の側壁部をそれぞれ立設することにより形成され、食器を洗浄するための洗浄液を貯留する洗浄槽と、
前記洗浄槽の前記底部上に配置され、前記洗浄槽の前記底部より小さい大きさを有する板状の支持板の角部付近であって、かつ前記支持板の下面側に、脚部をそれぞれ接続することにより形成された支持部と、
前記支持部の前記支持板上にそれぞれ互いに平行になるように配置され、一端は閉口するように形成され、他端は気泡供給管を介して気泡供給部に連結された円筒状の複数の散気管と、
前記各散気管の上部表面に、前記散気管の長手方向に沿って所定の間隔毎にそれぞれ穿設された複数の散気孔と、
前記支持部の前記支持板の外周縁にそれぞれ立設され、前記洗浄槽の前記側壁部の高さより低くなるように形成された複数の整流板と、
前記支持部の前記支持板のうち、前記各散気管の間に位置する領域を開口するようにして設けられた開口部と
を備え、
前記洗浄槽の前記底部と、前記支持板及び前記整流板との間には、前記脚部の高さに対応する隙間が形成されている
ことを特徴とする食器洗浄装置。
【手続補正２】
【補正対象書類名】明細書
【補正対象項目名】０００５
【補正方法】変更
【補正の内容】
【０００５】
本発明の一態様による食器洗浄装置は、
板状の底部の外周縁に複数の側壁部をそれぞれ立設することにより形成され、食器を洗浄するための洗浄液を貯留する洗浄槽と、
前記洗浄槽の前記底部上に配置され、前記洗浄槽の前記底部より小さい大きさを有する板状の支持板の角部付近であって、かつ前記支持板の下面側に、脚部をそれぞれ接続することにより形成された支持部と、
前記支持部の前記支持板上にそれぞれ互いに平行になるように配置され、一端は閉口するように形成され、他端は気泡供給管を介して気泡供給部に連結された円筒状の複数の散気管と、
前記各散気管の上部表面に、前記散気管の長手方向に沿って所定の間隔毎にそれぞれ穿設された複数の散気孔と、
前記支持部の前記支持板の外周縁にそれぞれ立設され、前記洗浄槽の前記側壁部の高さより低くなるように形成された複数の整流板と、
前記支持部の前記支持板のうち、前記各散気管の間に位置する領域を開口するようにして設けられた開口部と
を備え、
前記洗浄槽の前記底部と、前記支持板及び前記整流板との間には、前記脚部の高さに対応する隙間が形成されている。